(57)【特許請求の範囲】
【請求項１】
トイレ本体と、前記トイレ本体の開口部を閉じる蓋と、前記蓋に設けられる取付部と、前記トイレ本体に設けられて前記取付部を回転可能に支持する蓋保持部と、前記トイレ本体に設けられた背もたれと、を備え、
前記取付部は、前記蓋保持部に係合する係合部を有し、
前記蓋保持部は、前記係合部と係合することにより前記蓋を起立状態で保持する起立保持部と、前記蓋が起立状態の位置よりも後方に回転するときに前記係合部を案内する後方案内部と、前記起立保持部と前記後方案内部との間に配置され、前記起立保持部から前記後方案内部に前記係合部を誘導する誘導部と、前記起立保持部に対して前方に設けられる平坦部とを有し、
前記背もたれは、前記蓋が通過できるように構成される開口部を有し、
前記蓋保持部は、前記蓋が後方に回転する場合には前記係合部が前記起立保持部に係合する位置に対して後方に移動し、前記蓋が前方に回転する場合には前記係合部が前記平坦部に沿って前方に移動するように構成される
ポータブルトイレ。
【請求項２】
前記蓋保持部は、前記トイレ本体とは別部材として構成され、
前記蓋保持部は、前記トイレ本体に取り付けられるときの姿勢で上下対称構造を有する
請求項１に記載のポータブルトイレ。
【請求項３】
前記蓋保持部には、前記取付部の前記係合部が通る通路が設けられ、前記通路は、前記蓋保持部の側面から前記起立保持部に向かって延びる
請求項１または２に記載のポータブルトイレ。
【発明の詳細な説明】
【技術分野】
【０００１】
本発明は、蓋を有するポータブルトイレに関する。
【背景技術】
【０００２】
ポータブルトイレとして特許文献１に記載の技術が知られている。
特許文献１に記載のポータブルトイレの蓋は起立状態で維持される。蓋に設けられた取付具の外周面がトイレ本体の後面に設けられた係止ピンに当接することにより、蓋の起立状態が維持される。取付具の外周面と係止ピンとの当接状態を解除することにより、蓋は後方に回転可能になる。蓋が起立位置から後方に回転することによりポータブルトイレの後方が空くようになる。このため、ポータブルトイレに着座する者に対して、介助者は、後方（背中側）から介助することができる。
【先行技術文献】
【特許文献】
【０００３】
【特許文献１】特開２００６−４３３０９号公報
【発明の概要】
【発明が解決しようとする課題】
【０００４】
しかし、従来のポータブルトイレでは、蓋を開閉し難いことがある。本発明は、このような問題点に着目してなされたものであって、その目的は、円滑に蓋を開閉することができるポータブルトイレを提供することにある。
【課題を解決するための手段】
【０００５】
上記課題を解決するポータブルトイレは、トイレ本体と、前記トイレ本体の開口部を閉じる蓋と、前記蓋に設けられる取付部と、前記トイレ本体に設けられて前記取付部を回転可能に支持する蓋保持部と、前記トイレ本体に設けられた背もたれと、を備え、前記取付部は、前記蓋保持部に係合する係合部を有し、前記蓋保持部は、前記係合部と係合することにより前記蓋を起立状態で保持する起立保持部と、前記蓋が起立状態の位置よりも後方に回転するときに前記係合部を案内する後方案内部と、前記起立保持部と前記後方案内部との間に配置され、前記起立保持部から前記後方案内部に前記係合部を誘導する誘導部と、前記起立保持部に対して前方に設けられる平坦部とを有し、前記背もたれは、前記蓋が通過できるように構成される開口部を有し、前記蓋保持部は、前記蓋が後方に回転する場合には前記係合部が前記起立保持部に係合する位置に対して後方に移動し、前記蓋が前方に回転する場合には前記係合部が前記平坦部に沿って前方に移動するように構成される。
【発明の効果】
【０００６】
上記ポータブルトイレは、蓋の開閉が円滑である。
【図面の簡単な説明】
【０００７】
【図１】（ａ）は、蓋が閉じられたポータブルトイレの斜視図、（ｂ）は、蓋が開いたポータブルトイレの斜視図。
【図２】ポータブルトイレについて、（ａ）は、蓋が閉じられた状態の断面図、（ｂ）は、蓋が起立する状態の断面図、（ｃ）は、蓋が全開した状態の断面図。
【図３】固定部材の一例の斜視図。
【図４】取付部の斜視図。
【図５】（ａ）〜（ｆ）は、蓋の回転に伴う、取付部と蓋保持部との配置関係を示す図。
【図６】固定部材の別の例の斜視図。
【図７】（ａ）〜（ｆ）は、第１変形例に係るポータブルトイレについて、蓋の回転に伴う、取付部と蓋保持部との配置関係を示す図。
【図８】固定部材の別の例の斜視図。
【図９】固定部材の別の例の斜視図。
【発明を実施するための形態】
【０００８】
図１（ａ）および図１（ｂ）を参照して、ポータブルトイレ１について説明する。
ポータブルトイレ１は、トイレ本体１０と、トイレ本体１０の開口部１０ａを閉じる蓋１４と、蓋１４に設けられる取付部２０（図２参照）と、蓋１４を回転可能に支持する蓋保持部３０（図２参照）とを有する。
【０００９】
トイレ本体１０は、フレーム１１と、フレーム１１の中央部に配置される便槽１２と、便座１３とを備える。フレーム１１は、便槽１２を支持するフレーム本体１１ａと、フレーム本体１１ａを支持する４つの脚１１ｂとを備える。トイレ本体１０は、好ましくは背もたれ１１ｃを備える。背もたれ１１ｃは、フレーム本体１１ａの後部から上方に延びる。背もたれ１１ｃには開口部１１ｄが設けられている。なお、以降の説明では、ポータブルトイレ１において、背もたれ１１ｃが配置され得る側を「後側」とし、その反対側を「前側」として説明する。また、ポータブルトイレ１を使用可能に設置した状態における上下方向を、ポータブルトイレ１の上下方向として説明する。
【００１０】
トイレ本体１０には、脱臭のため、空気を吸う吸引装置５０が設けられ得る。吸引装置５０の動作を制御するため、トイレ本体１０には、人を検出する人体検出器５１と、蓋１４の開閉を検出する蓋開閉検出器５２とが設けられる。人体検出器５１として、例えば、反射センサーまたは透過型センサー等が用いられる。蓋開閉検出器５２として、蓋１４の開閉に伴って接点の接触状態を切り換えるスイッチ、または、反射センサーが用いられ得る。
【００１１】
蓋１４は、前後方向における中間部で折れて、折り畳み可能に構成される。例えば、蓋１４は、蓋前部１５と蓋後部１６とを有する。蓋前部１５と蓋後部１６とは例えば蝶番で接続される。折り畳まれた蓋１４は、背もたれ１１ｃの開口部１１ｄを通過する。蓋後部１６の後側角部（後面１６ａと底面１６ｂとにより構成される角部。図２（ａ）参照。）には、取付部２０が設けられている。
【００１２】
フレーム１１の側板１１ｅの内面には、蓋保持部３０が取り付けられている。一対の蓋保持部３０は、互い向き合うように配置される。一対の蓋保持部３０は、２つの取付部２０を介して回転可能に蓋１４を支持する。
【００１３】
図２を参照して、蓋１４の開閉動作を説明する。図２は、図１（ａ）のＡ−Ａ線に沿うポータブルトイレ１の断面図を示す。図２では、フレーム１１の一部、便槽１２および便座１３は省略されている。
【００１４】
図２（ａ）に示されるポータブルトイレ１は、蓋１４がトイレ本体１０の開口部１０ａを閉じた状態にある。人の操作により蓋後部１６の前側が持ち上がると、蓋後部１６が回転しつつ蓋前部１５の後側が上方に上がり、蓋１４が折れる。
【００１５】
図２（ｂ）に示されるように、蓋１４が起立するまで蓋１４が回転すると、取付部２０と蓋保持部３０とが係合し、蓋１４が起立状態で自立する。すなわち、蓋１４を手で支えなくとも、蓋１４の起立状態が維持される。取付部２０と蓋保持部３０との係合が解除されると、蓋１４は、後方に回転する。
【００１６】
図２（ｃ）に示されるように、起立状態から蓋１４が後方に回転すると、蓋後部１６の後面１６ａがフレーム１１の後部に当たり、蓋１４が静止する。このとき、ポータブルトイレ１の後ろ側から背もたれ１１ｃの開口部１１ｄに手を差し入れることが可能になり、ポータブルトイレ１に着座する使用者に対しての介助が容易になる。
【００１７】
図３を参照して、蓋保持部３０の一例を説明する。
蓋保持部３０は、蓋１４を支持する一対の支持軸３１（図５参照）と、フレーム１１の側板１１ｅの内面に固定される固定部材３２とを備える。支持軸３１は、フレーム１１の側板１１ｅの内面から突出する。支持軸３１の断面は円形である。
【００１８】
固定部材３２は本体３２ａを有する。本体３２ａは、案内部３３と、複数個の締結部３４と、支持軸３１が挿通する貫通孔３５とを有する。締結部３４は、例えば、ボルトが挿通する貫通孔として構成される。固定部材３２は、例えば、樹脂または金属により構成される。
【００１９】
案内部３３は、取付部２０の係合部２６（後述参照）を案内する。案内部３３は、前方案内部４１と、起立保持部４２と、誘導部４３と、後方案内部４４とを有し、これら各部４１〜４４は、この順に前から配置されている。前方案内部４１は、回転軸Ｃ（貫通孔３５の中心軸）を中心とする所定半径の円弧面の前方部分として構成される。起立保持部４２は、所定半径の円弧面において最も上側の部分から中心に向かって窪む部分において、その窪みの下側の部分として構成される。起立保持部４２には、取付部２０の係合部２６が入る。起立保持部４２は、係合部２６の前方移動を阻止する前当接面４２ａと、下当接面４２ｂと、係合部２６の後方移動を阻止する後当接面４２ｃとを有する。下当接面４２ｂは、好ましくは、固定部材３２の取り付け状態において水平に構成される。前当接面４２ａおよび後当接面４２ｃは、下当接面４２ｂに対して所定角度（例えば、９０度）に交差する。
【００２０】
誘導部４３は、取付部２０の係合部２６を起立保持部４２から後方案内部４４まで案内する。例えば、誘導部４３は、上述の後当接面４２ｃを上方に延長した面として構成される。後方案内部４４は、回転軸Ｃを中心とする所定半径の円弧面の後方部分として構成される。以上の構成の案内部３３は、例えば、図３に示されるように、本体３２ａを貫通する孔３６の側面として構成される。
【００２１】
図４を参照して、取付部２０の一例を説明する。
取付部２０は、蓋後部１６に取り付けられる固定部２１と、固定部２１から突出する突出部２４と、蓋保持部３０に係合する係合部２６とを有する。固定部２１は、蓋後部１６の底面１６ｂ（図２参照）に締結される第１固定部２２と、蓋後部１６の後面１６ａに締結される第２固定部２３とを有する。第２固定部２３は、第１固定部２２の第１辺２２ａから第１固定部２２に対して直交するように延びる。
【００２２】
突出部２４は、第１固定部２２の第２辺２２ｂ（第１辺２２ａに交差する辺）から第１固定部２２に対して直交しかつ第１固定部２２の突出方向とは反対方向に延びる。突出部２４には長孔２５が設けられている。長孔２５には、蓋保持部３０の支持軸３１が挿通する。長孔２５は、蓋１４の閉鎖状態（図２（ａ）参照）において前後方向に延びるように、突出部２４に設けられる。係合部２６は、突出部２４の外面２４ａから突出する。係合部２６は例えば円柱形のピンとして構成される。係合部２６は、蓋１４の閉鎖状態において長孔２５の前方に配置される。長孔２５と係合部２６とは、次の関係を満たす。すなわち、長孔２５と係合部２６とは、長孔２５に、蓋保持部３０の支持軸３１が挿通し、支持軸３１が長孔２５の第１端２５ａ側に配置されるとき、係合部２６が蓋保持部３０の前方案内部４１または後方案内部４４に当接するように、構成される。なお、長孔２５の第１端２５ａは、長孔２５において係合部２６から遠い端を指す。長孔２５の第２端２５ｂは、長孔２５において係合部２６に近い端を指す。
【００２３】
図５を参照して、ポータブルトイレ１の作用を説明する。
図５（ａ）は、蓋１４がトイレ本体１０の開口部１０ａを閉鎖しているときの、取付部２０の配置を示す。このとき、蓋保持部３０の支持軸３１は、取付部２０の長孔２５において第１端２５ａ側に配置される。このとき、取付部２０の係合部２６は、蓋保持部３０の前方案内部４１に当接する。使用者の操作により蓋１４が後方に回転すると、図５（ｂ）および図５（ｃ）に示されるように、取付部２０の係合部２６は前方案内部４１に摺接して移動する。蓋１４の回転により、係合部２６が起立保持部４２に至ると、蓋１４の重さにより蓋１４が下方に移動し、図５（ｄ）に示されるように、係合部２６が起立保持部４２に入る。このとき、取付部２０の下方への移動により、長孔２５の第２端２５ｂ側が支持軸３１に近づく。この配置で、蓋１４が前方または後方に回転すると、係合部２６が、起立保持部４２の前当接面４２ａまたは後当接面４２ｃに当たるため、所定角度以上に蓋１４が回転することが抑制される。このようにして、蓋１４の起立状態が維持される。
【００２４】
図５（ｅ）に示されるように、使用者の操作により蓋１４が上方に移動し、係合部２６が後方案内部４４に当接すると、係合部２６と起立保持部４２との係合が解除される。これにより、後方への蓋１４の回転が可能になる。蓋１４が上方移動するとき、係合部２６が誘導部４３に摺接する。図５（ｆ）に示されるように、係合部２６が後方案内部４４の後方末端に位置すると、蓋１４がフレーム１１の後部に当接し、蓋１４の回転が止まる。
【００２５】
次に、蓋１４の取り付け手順（以下、「第１手順」という。）について説明する。まず、固定部材３２をフレーム１１の側板１１ｅの内面に取り付ける。また、係合部２６が取り付けられていない状態の取付部２０を蓋１４に取り付ける。次に、開口部１０ａを閉鎖するように蓋１４をトイレ本体１０に載置し、蓋１４に取り付けられた取付部２０を固定部材３２の横に配置し、この状態で、支持軸３１を固定部材３２の貫通孔３５および取付部２０の長孔２５に挿通する。この後、係合部２６の先端部を案内部３３の周囲の孔３６に差し入れて、係合部２６を取付部２０の突出部２４に取り付ける。
【００２６】
次に、吸引装置５０の動作について説明する。
吸引装置５０は、以下の第１条件と第２条件とが共に満たされるときだけ動作する。第１条件は、蓋開閉検出器５２が蓋１４の起立状態を検出することである。第２条件は、人体検出器５１が人を検出することである。これにより、蓋１４が開いた状態となって人が便座１３に着座したときだけ吸引装置５０が動作する。
【００２７】
また、人体検出器５１は、上記第１条件が満たされるときだけ人体検出するための検知動作を実行することが好ましい（以下、この構成を「駆動制限構成」という。）。すなわち、この場合、人体検出器５１は、第１条件が満たされないときは、電源がオフまたは人の検出を行わない待機状態となる。これにより、人体検出器５１の消費電力が低減する。また、この駆動制限構成とは逆に、人体検出器５１が常時、検出可能に動作する場合、蓋１４が閉じているとき、人体検出器５１が蓋１４を検出するため第２条件が満たされる。この状況において、偶然に手が蓋開閉検出器５２に接触して第１条件が成立すると、予期せず吸引装置５０が動作するようになる。したがって、人体検出器５１の上述の駆動制限構成により、このように予期せず吸引装置５０が動作することが抑制される。
【００２８】
また、従来構造のポータブルトイレに対しては次の効果がある。従来構造のポータブルトイレ（背景技術に示されたポータブルトイレ）は、蓋に設けられた取付具の外周面がトイレ本体の係止ピンに当接する。この蓋が、起立位置から後方に回転するとき、蓋が支持軸の軸方向（すなわち、左右方向）に揺動し得る。この揺動が大きくなると、蓋の取付具の長孔と支持軸との摩擦力が増大するため、蓋の開閉に支障が生じる。このような蓋の揺動は、支持軸が、取付具の長孔に挿通するためである。この点、本実施形態では、蓋１４が後方回転するとき、取付部２０の係合部２６が後方案内部４４に摺接し、支持軸３１が長孔の第１端２５ａ側に位置するようになり、蓋１４の揺れが抑制される。これにより、蓋１４の開閉が円滑になる。また、蓋１４の左右の揺れ幅が大きくなると、取付部２０の係合部２６の端面が、フレーム本体１１ａの側板１１ｅの内面に接触するようになるため、蓋１４の左右の揺れが更に大きくなることが抑制される。
【００２９】
［第１変形例］
図６を参照して、蓋保持部３０の第１変形例を説明する。以下の説明では、上記実施形態と同じ構成については、実施形態のものと同じ符号を付す。
蓋保持部３０は、上記蓋保持部３０の固定部材３２に代えて、次の固定部材１３２を備える。
【００３０】
固定部材１３２は本体１３２ａを有する。本体１３２ａは、案内部１３３と、複数個の締結部１３４と、支持軸３１が挿通する貫通孔１３５と、蓋１４の取り付け時において係合部２６が通る通路１３６とを有する。案内部１３３は、前方案内部１４１と、平坦部１４２と、起立保持部１４３と、誘導部１４４と、後方案内部１４５とを有する。これら各部１４１〜１４５は、この順に前から配置されている。
【００３１】
前方案内部１４１は、回転軸Ｃを中心とする所定半径の円弧面の前方部分として構成される。平坦部１４２は、固定部材１３２をフレーム１１の側板１１ｅに取り付けたときに、水平または前方に上向きに傾斜する面として構成される。平坦部１４２は、回転軸Ｃを中心とする所定半径の円周よりも中心側に配置される。起立保持部１４３は、平坦部１４２から後方に延びる延長下面１４３ａと、延長下面１４３ａに対して交差する当接面１４３ｂとにより構成される。延長下面１４３ａは、前後方向において回転軸Ｃよりも後方の所定位置まで延びる。延長下面１４３ａは、好ましくは、固定部材１３２の取り付け状態において水平に構成される。当接面１４３ｂは、延長下面１４３ａの後方端から上方に延び、延長下面１４３ａに対して所定角度（例えば、９０度）に交差する。当接面１４３ｂは、係合部２６の後方移動を阻止する。
【００３２】
誘導部１４４は、取付部２０の係合部２６を起立保持部１４３から後方案内部１４５まで案内する。例えば、誘導部１４４は、上述の当接面１４３ｂの上側に延長した面として構成される。後方案内部１４５は、回転軸Ｃを中心として所定半径の円弧面の後方部分として構成される。以上のような案内部１３３は、例えば、図６に示されるように、本体１３２ａに設けられる段部として構成される。
【００３３】
固定部材１３２の通路１３６は、固定部材１３２の側面１３２ｂ（蓋保持部３０の側面）から起立保持部１４３に向かって延びる。例えば、固定部材１３２の通路１３６は、上側の２つの締結部１３４の間を通過する溝として構成される。この通路１３６は、案内部１３３の周囲の溝１３３ａに連通する。
【００３４】
このような通路１３６は、蓋１４の取り付け手順が次のような場合（以下、この手順を「第２手順」という。）に用いられる。すなわち、まず、固定部材１３２をフレーム１１の側板１１ｅに取り付ける。また、係合部２６が取り付けられている状態の取付部２０を蓋１４に取り付ける。次に、開口部１０ａを閉鎖するように蓋１４をトイレ本体１０に載置し、蓋１４に取り付けられた取付部２０を固定部材１３２の横に配置し、この状態で、支持軸３１を固定部材１３２の貫通孔１３５および取付部２０の長孔２５に挿通する。この取り付け手順において、取付部２０を固定部材１３２の横に配置する際、取付部２０の係合部２６は通路１３６に沿って移動させる。すなわち、このような通路１３６の存在により、係合部２６を有する取付部２０が取り付けられた状態の蓋１４を、フレーム本体１１ａに取り付けることが可能になっている。
【００３５】
また、蓋保持部３０は、フレーム１１に取り付けられた状態で上下対称に構成される。具体的には、固定部材１３２が上下対称形状に構成される。すなわち、一対の固定部材１３２のうちの一方を１８０度回転させたとき一対の固定部材１３２は鏡面対称になるように、固定部材１３２が構成される。この構造によれば、固定部材１３２は、フレーム１１の左側にも右側にも取り付けられ得る。
【００３６】
図７を参照して、ポータブルトイレ１の作用を説明する。
図７（ａ）は、蓋１４がトイレ本体１０の開口部１０ａを閉鎖しているときの、取付部２０の配置を示す。このとき、蓋保持部３０の支持軸３１は、取付部２０の長孔２５において第１端２５ａ側に配置される。このとき、取付部２０の係合部２６は、蓋保持部３０の前方案内部１４１に当接する。使用者の操作により蓋１４が後方に回転すると、図７（ｂ）に示されるように、取付部２０の係合部２６は平坦部１４２に摺接する。蓋１４の回転に伴い取付部２０が回転して係合部２６が後方に移動すると、これに伴って取付部２０は下方に移動する。このとき、取付部２０の下方への移動により、長孔２５の第２端２５ｂ側が支持軸３１に近づく。
【００３７】
図７（ｃ）に示されるように、蓋１４の回転により、係合部２６が起立保持部１４３に至ると、係合部２６は前後方向において回転軸Ｃよりも後方に配置されることから、蓋１４の重さにより蓋１４が後方斜めに傾く。このとき、係合部２６が当接面１４３ｂに当たるため、蓋１４の後方回転が阻止される。このようにして、蓋１４の起立状態が維持される。
【００３８】
図７（ｄ）、図７（ｅ）および図７（ｆ）に示されるように、使用者の操作により蓋１４が上方に移動するとき、係合部２６が誘導部１４４に沿って移動し係合部２６と起立保持部１４３との係合が解除される。そうすると、係合部２６が後方案内部１４５に沿って移動し蓋１４が後方に回転する。係合部２６と起立保持部１４３との係合解除後の動作は、実施形態における動作に準ずる。
【００３９】
次に、後方回転した蓋１４を前に戻すときの、ポータブルトイレ１の作用を説明する。蓋１４が全開した状態から蓋１４が前方に回転すると、係合部２６は、後方案内部１４５に沿って移動する。係合部２６が起立保持部１４３に至ると、蓋１４の重さにより蓋１４が下方に移動し、係合部２６が平坦部１４２に当接する。更に、蓋１４が前方に回転すると、係合部２６は、平坦部１４２から前方案内部１４１に沿って移動する。このように、蓋１４が前方に回転するときは、係合部２６の移動を妨げる障害部が存在しないため、蓋１４は円滑に回転する。すなわち、蓋１４でトイレ本体１０の開口部１０ａを閉鎖するときに蓋１４を一旦持ち上げるといった操作が不要である。これは、実施形態の案内部３３の前当接面４２ａを省略したことによる効果である。
【００４０】
［第２変形例］
図８を参照して、蓋保持部３０の第２変形例を説明する。以下の説明では、上記第１変形例と同じ構成については、第１変形例のものと同じ符号を付す。
蓋保持部３０は、第１変形例の固定部材１３２に代えて次の固定部材２３２を備える。
固定部材２３２は、第１変形例の固定部材１３２の通路１３６を省略したものである。このような構成においても、第１変形例に準じた効果が得られる。なお、蓋１４の取り付け時において用いられる通路１３６が存在しないため、蓋１４の取り付けは、実施形態と同様の手順（すなわち、第１手順）で行われる。固定部材２３２は、通路１３６が存在しない分、第１変形例に比べて強度が高くなる。このため、第１変形例に比べて薄型化が可能である。
【００４１】
［第３変形例］
図９を参照して、蓋保持部３０の第３変形例を説明する。以下の説明では、上記第１変形例と同じ構成については、第１変形例のものと同じ符号を付す。
【００４２】
蓋保持部３０は、第１変形例の固定部材１３２に代えて次の固定部材３３２を備える。
第１変形例の固定部材１３２では、案内部１３３の周囲に溝１３３ａが設けられているが、第３変形例の固定部材３３２では、案内部３３３の周囲の溝は、貫通する孔３３３ａとして構成される。
【００４３】
前側の２つの締結部３４は一体となって第１締結部３３４Ａを構成する。後側の２つの締結部３４は一体となって第２締結部３３４Ｂを構成する。第１締結部３３４Ａは、第１連結部３３５Ａを介して案内部３３３に連結される。第２締結部３３４Ｂは、第２連結部３３５Ｂを介して案内部３３３に連結される。前側の一対の締結部３４と後側の一対の締結部３４との間には、係合部２６が挿通する通路３３６が設けられている。通路３３６は、固定部材３３２の側面３３２ｂから起立保持部１４３に向かって延びる。この通路３３６は、孔３３３ａに連結される。このような構成においても、第１変形例に準じた効果が得られる。なお、蓋１４の取り付け時において用いられる通路３３６が存在するため、蓋１４の取り付けは、第１変形例と同様の手順（すなわち、第２手順）で行われる。
【００４４】
本実施形態およびその変形例に係るポータブルトイレ１の効果を説明する。
（１）上記ポータブルトイレ１およびその各変形例では、トイレ本体１０と、蓋１４と、蓋１４に設けられる取付部２０と、取付部２０を回転可能に支持する蓋保持部３０とを備える。取付部２０は、蓋保持部３０に係合する係合部２６を有する。蓋保持部３０は、起立保持部４２（１４３）と、蓋１４が後方に回転するときに係合部２６を案内する後方案内部４４（１４５）とを有する。起立保持部４２（１４３）は、係合部２６との係合により蓋１４を起立状態で保持する。
【００４５】
この構成によれば、係合部２６と起立保持部４２（１４３）とが係合することにより、蓋１４の起立姿勢が制御される。係合部２６は後方案内部４４（１４５）に接触するため、回転時の蓋１４の姿勢が制御される。これにより、蓋１４が円滑に開閉する。
【００４６】
（２）蓋保持部３０は、誘導部４３（１４４）を有する。誘導部４３（１４４）は、起立保持部４２（１４３）から後方案内部４４（１４５）に係合部２６を誘導する。すなわち、蓋１４の後方回転時、係合部２６が誘導部４３（１４４）により案内されることにより、蓋１４が後方に誘導される。これにより、蓋１４が円滑に開閉する。
【００４７】
（３）実施形態の第１変形例〜第３変形例に示されるように、蓋保持部３０は、トイレ本体１０とは別部材として構成される。そして、蓋保持部３０は、トイレ本体１０に取り付けられるときの姿勢で上下対称構造を有する。この構成によれば、蓋保持部３０を構成する固定部材１３２（２３２，３３２）は、フレーム本体１１ａの両側それぞれに共通して配置され得る。このため、ポータブルトイレ１を構成する部品の種類を少なくすることができる。
【００４８】
（４）第１変形例および第３変形例に示されるように、蓋保持部３０には、取付部２０の係合部２６が通る通路１３６（３３６）が設けられている。通路１３６（３３６）は、蓋保持部３０の固定部材１３２（３３２）の側面１３２ｂ（３３２ｂ）から起立保持部１４３に向かって延びる。この構成によれば、係合部２６を有する蓋１４をトイレ本体１０に取り付けるとき、係合部２６を蓋保持部３０の通路１３６（３３６）に通過させることができるため、その取り付け作業が簡単である。
【００４９】
［その他の実施形態］
・上記実施形態および変形例では、蓋１４は折り畳み構造を有するが、蓋１４の構造はこれに限定されない。すなわち、蓋１４は、折り畳まれない構造であってもよい。また、ポータブルトイレ１は、椅子としての用途を兼ねるように構成され得る。この場合、蓋１４は、座面として構成される。また、背もたれ１１ｃは省略され得る。
【００５０】
・上記実施形態では、誘導部４３は、後当接面４２ｃの延長面として上方に延びる面に構成されているが（図３参照）、誘導部４３の構造は限定されない。例えば、誘導部４３は、前方に向かって下方に傾く傾斜面または曲面に構成され得る。変形例における誘導部１４４も同様に、前方に向かって下方に傾く傾斜面または曲面に構成され得る。
【００５１】
・上記実施形態では、蓋保持部３０の案内部３３（すなわち、起立保持部４２（１４３）、誘導部４３（１４４）、後方案内部４４（１４５）を含む部分）は、ポータブルトイレ１のフレーム本体１１ａに取り付けられる固定部材３２の一部として構成されている。これに対して、案内部３３とフレーム本体１１ａとは一体に構成され得る。
【００５２】
実施形態から把握できる技術的思想について記載する。
（付記１）
トイレ本体と、前記トイレ本体の開口部を閉じる蓋と、前記蓋に設けられる取付部と、前記トイレ本体に設けられて前記取付部を回転可能に支持する蓋保持部とを備え、
前記取付部は、前記蓋保持部に係合する係合部を有し、
前記蓋保持部は、前記係合部と係合することにより前記蓋を起立状態で保持する起立保持部と、前記蓋が起立状態の位置よりも後方に回転するときに前記係合部を案内する後方案内部とを有するポータブルトイレ。
【００５３】
（付記２）
前記蓋保持部は、前記起立保持部と前記後方案内部との間に配置されており前記起立保持部から前記後方案内部に前記係合部を誘導する誘導部を有する、付記１に記載のポータブルトイレ。
【００５４】
（付記３）
前記蓋保持部は、前記トイレ本体とは別部材として構成され、
前記蓋保持部は、前記トイレ本体に取り付けられるときの姿勢で上下対称構造を有する
付記１または付記２に記載のポータブルトイレ。
【００５５】
（付記４）
前記蓋保持部には、前記取付部の前記係合部が通る通路が設けられ、前記通路は、前記蓋保持部の側面から前記起立保持部に向かって延びる
付記１〜付記３のいずれか一項に記載のポータブルトイレ。
【００５６】
実施形態から把握できる、他の技術的思想について記載する。
（付記５）前記取付部は、前記蓋に取り付けられる固定部と、前記固定部に取り付けられる係合部とを備える、付記１に記載のポータブルトイレ。
【符号の説明】
【００５７】
１…ポータブルトイレ、１０…トイレ本体、１０ａ…開口部、１４…蓋、２０…取付部、２６…係合部、３０…蓋保持部、４２，１４３…起立保持部、４３，１４４…誘導部、４４，１４５…後方案内部、１３２ｂ，３３２ｂ…側面、１３６，３３６…通路。
【図１】
0006722854.tif 000002
【図２】
0006722854.tif 000003
【図３】
0006722854.tif 000004
【図４】
0006722854.tif 000005
【図５】
0006722854.tif 000006
【図６】
0006722854.tif 000007
【図７】
0006722854.tif 000008
【図８】
0006722854.tif 000009
【図９】
0006722854.tif 000010